(57)【要約】      （修正有）【課題】プロテクター及びカバーの取付が正常に行われているかの確認を容易にする。【解決手段】圧縮機１に取付けたプロテクター３と、プロテクターに着脱自在なカバー４と、を備え、プロテクター及びカバーの一方は開口４ｃを有し、プロテクター及びカバーの他方は記開口に挿入可能なガイド３ｃを有し、ガイドが開口に挿入され、かつ、カバー及びプロテクターが取付けられた装着状態と、ガイドが開口に挿入され、かつ、カバー及びプロテクターが取付けられていない半装着状態とでは、ガイドに設けたマーカ３ｄの目視可能な範囲が異なる。【選択図】図６
2018040300.tif 000002
【特許請求の範囲】
【請求項１】
圧縮機に取付けたプロテクターと、該プロテクターに着脱自在なカバーと、を備え、
前記プロテクター及び前記カバーの一方は、開口を有し、
前記プロテクター及び前記カバーの他方は、前記開口に挿入可能なガイドを有し、
前記ガイドが前記開口に挿入され、かつ、前記カバー及び前記プロテクターが取付けられた装着状態と、
前記ガイドが前記開口に挿入され、かつ、前記カバー及び前記プロテクターが取付けられていない半装着状態とでは、前記ガイドに設けたマーカの目視可能な範囲が異なる圧縮機。
【請求項２】
前記ガイドは、前後方向に沿って前記開口に挿入可能であり、
前記ガイドの前後寸法は、前記開口を有する前記カバー又は前記プロテクターの前後寸法以下であり、
前記マーカは、少なくとも前記装着状態において、当該圧縮機の側面視で目視可能なことを特徴とする請求項１に記載の圧縮機。
【請求項３】
前記マーカは、前記ガイドに比して色若しくは光沢が異なる部分、又は前記ガイドに設けた孔若しくは突起であることを特徴とする請求項１又は２に記載の圧縮機。
【請求項４】
前記カバーは樹脂で、前記プロテクターは金属で、形成されており、
前記カバーは、爪を有し、
前記プロテクターは、前爪に係合可能な孔を有し、
前記爪及び前記孔が係合することで、前記装着状態となることを特徴とする請求項１乃至３何れか一項に記載の圧縮機。
【請求項５】
前記カバー及び前記プロテクターが取付けられることで、電流が流れる部品を収納可能な収納室を形成し、
前記開口は、前記収納室から区画されていることを特徴とする請求項１乃至４何れか一項に記載の圧縮機。
【請求項６】
前記プロテクターは、上側に設けられた天面と、左側及び右側にそれぞれ設けられたガイド及び対面ガイドと、を有し、
前記爪は、前記天面に設けられた第一の孔に係合する第一の爪と、前記対面ガイドに係合する第二の爪と、を有し、
前記対面ガイドは、前記カバーの左右方向の端部に位置し、
前記第一の孔は、前記プロテクターの左右方向の端部以外の位置に位置することを特徴とする請求項４に記載の圧縮機。
【請求項７】
圧縮機に取付けたプロテクターと、該プロテクターに着脱自在なカバーと、を備え、
前記プロテクター及び前記カバーの一方は、開口を有し、
前記プロテクター及び前記カバーの他方は、前記開口に挿入可能なガイドを有し、
前記ガイドが前記開口に挿入され、かつ、前記カバー及び前記プロテクターが取付けられた装着状態では、前記ガイドの先端が目視可能であり、
前記ガイドが前記開口に挿入され、かつ、前記カバー及び前記プロテクターが取付けられていない半装着状態では、前記ガイドの先端が、少なくとも側面視で目視不能である圧縮機。
【請求項８】
請求項１乃至７何れか一項に記載の圧縮機を有する機器。
【発明の詳細な説明】
【技術分野】
【０００１】
本発明は圧縮機及び圧縮機を搭載した機器に関する。
【背景技術】
【０００２】
圧縮機の電装品保護装置として、特許文献１が知られている。冷凍サイクル用圧縮機では、ＰＴＣ（起動リレー）や、加熱して所定温度となると電流を遮断するモータプロテクタなどの電装品１０７が設けられていて、これらの電装品１０７はごみよけや防火、防水、外部からの衝撃保護、感電防止などの目的で電装品カバー１０３により覆われている。電装品カバー１０３はブラケット１０２に挿入されて、取付けられる（段落００２７，００３３等）。
【先行技術文献】
【特許文献】
【０００３】
【特許文献１】特開２０１２−２３３４５４号公報
【発明の概要】
【発明が解決しようとする課題】
【０００４】
特許文献１の構成では、ブラケット１０２に電装品カバー１０３（プロテクター）を係止する組付作業などの製造工程において、挟持部１１３が挿入部１１２を挟み込み、爪部１２３が係止孔１０２ａに係止されたことで、電装品カバー１０３が完全に挿入されたことになる。組付に関わる挿入部１１２や係止孔１０２ａは、完全に挿入されているかに拘らず、カバー１０３に覆われているため、完全に挿入されたか否かを外観から判別することは容易にはできない。
【課題を解決するための手段】
【０００５】
上記事情に鑑みた第１の本発明は、圧縮機に取付けたプロテクターと、該プロテクターに着脱自在なカバーと、を備え、前記プロテクター及び前記カバーの一方は、開口を有し、前記プロテクター及び前記カバーの他方は、前記開口に挿入可能なガイドを有し、前記ガイドが前記開口に挿入され、かつ、前記カバー及び前記プロテクターが取付けられた装着状態と、前記ガイドが前記開口に挿入され、かつ、前記カバー及び前記プロテクターが取付けられていない半装着状態とでは、前記ガイドに設けたマーカの目視可能な範囲が異なる圧縮機である。
【０００６】
また、上記事情に鑑みた第２の本発明は、圧縮機に取付けたプロテクターと、該プロテクターに着脱自在なカバーと、を備え、前記プロテクター及び前記カバーの一方は、開口を有し、前記プロテクター及び前記カバーの他方は、前記開口に挿入可能なガイドを有し、前記ガイドが前記開口に挿入され、かつ、前記カバー及び前記プロテクターが取付けられた装着状態では、前記ガイドの先端が目視可能であり、前記ガイドが前記開口に挿入され、かつ、前記カバー及び前記プロテクターが取付けられていない半装着状態では、前記ガイドの先端が、少なくとも側面視で目視不能である圧縮機である。
【図面の簡単な説明】
【０００７】
【図１】実施例１のカバーを圧縮機のプロテクターに組み付けする前の状態の斜視図
【図２】実施例１の（ａ）プロテクター、（ｂ）カバーを説明する斜視図
【図３】実施例１のカバーの正面図
【図４】実施例１のカバー装着状態の斜視図
【図５】実施例１のカバー挿着状態の断面図
【図６】実施例１のカバー半挿着状態のカバーを（ａ）右方向、（ｂ）左方向、から見た図
【図７】実施例１のカバー挿着状態のカバーを（ａ）右方向、（ｂ）左方向、から見た図
【図８】実施例１の冷蔵庫組み付けの状態の斜視図
【発明を実施するための形態】
【０００８】
本発明の実施例について添付の図面を用いて説明する。説明の便宜のため、互いに直交する上下、前後、及び左右方向という語を用いる。同様の構成要素には同様の符号を付し、同様の説明は繰り返さない。
【実施例１】
【０００９】
［プロテクター３］
図１はカバー４を圧縮機１のプロテクター３に組み付けする前の状態の斜視図、図２（a）はプロテクター３の斜視図である。ガラスターミナル２を正面から観察する場合の方向を前方向とする。
【００１０】
プロテクター３は、密閉型圧縮機１の電動要素を起動するためのターミナルの一例としてのガラスターミナル２の近傍に、溶接等により取付けられている。プロテクター３は、取付状態でガラスターミナル２周囲を囲む平坦な主面３ｚ、主面３ｚの上辺に繋がり後方向に延在する天板３ａ、主面３ｚの左右方向の一方（本実施例では右側）に位置し後方向に延在するガイド３ｃ、及び、主面３ｚの左右方向の他方（本実施例では左側）に位置し後方向に延在する対面ガイド３eを有する。
【００１１】
天板３ａは、上下方向に略垂直な面であり、第一の係止孔３ｂを備えている。天板３ａのうち、左右方向の一方側（本実施例では右側）が、左右方向の他方側に比して、より後側に広がった形状であり、この部分に第一の係止孔３ｂが設けられている。天板３ａは、例えば上方からの水滴侵入を抑制したり、カバー４を組み付ける際の位置決めに用いることができる。
【００１２】
ガイド３ｃは、左右方向に略垂直な面であり、後端側にマーカ３ｄを有している。マーカ３ｄは、後述するように、カバー４をプロテクター３に組み付けた際に、組み付けが正常に行われているかを目視で確認する効率を向上させるものであり、ガイド３ｃの他の部分と異なる外観を有している（第一のマーカとしての機能を果たす）。例えばマーカ３ｄは、平板上のガイド３ｃに設けた孔であったり、ガイド３ｃの他の部分と異なる色や光沢を持つ部分にすることができる。また、ガイド３ｃは、プロテクター３を組み付ける際の位置決めとして用いることができる。
【００１３】
対面ガイド３ｅは、左右方向に略垂直な面であり、ガイド３ｃに対しては、左右方向について、主面３ｚを挟んで対向している。対面ガイド３eは、前端側に設けた第二の係止孔３ｆと、上辺側に設けた突起３ｇを備えている。突起３ｇは、後述するように、ガイド３ｃをカバー４に組み付けた際に、組み付けが正常に行われているかを目視で確認する効率を向上させるものである（第二のマーカとしての機能を果たす）。なお、プロテクター３は、例えば金属で形成できる。
【００１４】
［カバー４］
図２（ｂ）はカバー４を説明する斜視図、図３は、カバー４の正面図である。図３中、紙面手前に向かう方向が前方向である。
カバー４は、プロテクター３に組み付けた際に第一の係止孔３ｂに係合する第一のツメ４ｂ、ガイド３ｃが挿入される開口４ｃが設けられた右側面４ｄ、対面ガイド３eが挿入される開口４e、電源コード（不図示）を装着可能なコード取付部４ｈ、端子押え部４ｊ、及び、プロテクター３に組み付けた際に主面３ｚに対向する後面４ｚを備える。カバー４は、開口４ｃ，４eを形成するように、筒状の区画をそれぞれ有している。開口４eには、第二の係止孔３ｆに係止する第二のツメ４ｆが設けられている。カバー４は、弾性変形可能ないし可撓性のある材料、例えば合成樹脂で形成できる。
【００１５】
開口４ｃ、４ｅは筒状のため、カバー４の内部から区切られた空間であり、カバー４がプロテクター３に正常に取付けられた状態では、開口４ｃ、４eに到達した水滴が、カバー４内部に侵入することを抑制している。
【００１６】
コード取付部４ｈは、カバー４の下方側に設けられている。カバー４の下端が上方に折れ曲がった曲がり部４ｈ１と、主面４ｚとの間の領域に電源コードを係止することで、電源コードの脱落を抑制できる。コード取付部４ｈは、カバー４の外側と連通するが、開口は下方を向いているため、水滴が浸入することを抑制できる。
【００１７】
端子押え部４ｊは、カバー４の取付時に、ガラスターミナル２に接続する端子に接触又は近接可能な突起である。カバー４が樹脂製等である場合、カバー４取付時に作業者が主面４ｚを前方向に押すとカバー４が変形し、端子押え部４ｊが端子に接触する。これにより、例えばガラスターミナル２に端子が正常に取付けられていない場合に、作業者の押圧力によって取付を行うことができる。
【００１８】
［プロテクター３とカバー４との装着］
図４はカバー４装着状態の斜視図、図５はカバー４挿着状態の断面図、図６はカバー４半挿着状態のカバー４を（ａ）右方向、（ｂ）左方向、から見た図、図７はカバー４挿着状態のカバー４を（ａ）右方向、（ｂ）左方向、から見た図である。
プロテクター３とカバー４は、例えば、図１に示す破線矢印の方向へ突き当て挿入することで組み付けられる。プロテクター３とカバー４とが組み付けられると、主面３ｚ及び後面４ｚ等によって囲まれる空間である、電装品やガラスターミナル２を収納可能な収納室が形成される。
【００１９】
組み付けとしては、具体的には、まず、カバー４を突き当てていくと、天板３aのうち、第一の係止孔３ｂより後方向の領域、及び、対面ガイド３eのうち、第二の係止孔３ｆより後方向の領域に、第一のツメ４ｂ及び第二のツメ４ｆが接触する。これらの接触により、或る程度、摩擦による抵抗が生じる。この抵抗は、カバー４が弾性変形可能な材料で形成されている場合は、さらに大きくなる。すなわち、カバー４を取付ける作業者は、ツメ４ｂ，４ｆがプロテクター３に接触していることを容易に知覚できる。
【００２０】
この抵抗を上回る力でさらにそこから突き当てると、第一の係止孔３ｂ及び第二の係止孔３ｆに、第一のツメ４ｂ及び第二のツメ４ｆが進入することで抵抗が弱まり、略同時にこれらが係合する。カバー４がプロテクター３に正常に取付けられた状態、本実施例では、第一の係止孔３ｂに第一のツメ４ｂが係合され（図５等参照）、第二の係止孔３ｆに第二のツメ４ｆが係合されている状態、を装着状態と呼称する。また、カバー４がプロテクター３に突き当てているものの、両者が正常に取付けられていない状態、本実施例では、これらツメ４ｂ，４ｆの一方又は両方が孔３ｂ，３ｆそれぞれに係合していない状態、を半装着状態と呼称する。
【００２１】
装着状態では、開口４ｃからガイド３ｃが、開口４eから対面ガイド３ｅの一部が、それぞれカバー４から露出する。特に、開口４ｃからマーカ３ｄが、開口４eから突起３ｇが、それぞれ一部、好ましくは、図７（ａ），（ｂ）に例示するように全部露出する。
【００２２】
半装着状態では、開口４ｃからマーカ３ｄが、開口４eから突起３ｇが、装着状態とは異なる範囲（本実施例では、装着状態より少ない範囲）露出する、又は、マーカ３ｄ及び／又は突起３ｇの全部が隠れる（目視不能となる）。本実施例では、装着状態では、円形の孔として設けたマーカ３ｄは全部が露出し（図７（ａ）等参照）、半装着状態では一部が露出する（図６（ａ）等参照）。また、装着状態では、突起３ｇは露出し（図７（ｂ）等参照）、半装着状態では全部が隠れる（図６（ｂ）等参照）。マーカ３ｄや突起３ｇは、製造公差（加工精度）の観点からは、前後方向で０．１ｍｍ以上、好ましくは０．２ｍｍ以上に亘って設けられると好ましい。作業者の目視のし易さの観点からは、大きい方が好ましく、例えば何れかの方向について２ｍｍ以上であると好ましい。
【００２３】
ここで、図６（ａ）等に例示するように、開口４ｃを形成する筒状部分の前後寸法は、右側面４ｄに設けられた切り欠４ｄａにより、右側面４ｄの前後寸法より短くなっている。このため、ガイド３ｃ及びマーカ３ｄの前後寸法を右側面４ｄの前後寸法と略同じ又はこれより短くしても、装着時にガイド３ｃやマーカ３ｄがカバー４から露出できる。これにより、ガイド３ｃやマーカ３ｄは、カバー４より後方向に突出せず（カバー４の後端より前側に収まる。）、しかも、左右方向（本実施例では右方向）から目視できる。
【００２４】
なお、取付の際、作業者は、装着状態の直前の状態を以て、装着が正常に行われたと判断する（誤解する）場合がある。特に、カバー４を合成樹脂等で形成すると、突き当てていくにつれてツメ４ｂ、４ｆの変形量が漸増し、摩擦による抵抗を漸増する構造となり得る。こうすると、カバー４の取付状態を強固にできる一方、半装着状態が、装着状態の直前の状態として実現されやすく、作業者がより誤解し易くなる虞がある。このため、樹脂性のカバー４に設けた爪４ｂ、４ｆを用いることで取付を強固にしつつ、爪４ｂ、４ｆに接触するガイド３ｃ、３ｅに設けたマーカ３ｄ、３ｆを用いることで半装着状態を装着状態であると作業者が誤認することを抑制でき、より好ましい取付構造を実現できる。
【００２５】
図８は、冷蔵庫組み付けの状態の斜視図である。本実施例によれば、マーカ３ｄ又は突起３ｇを左右方向何れかそれぞれから目視できるため、冷蔵庫１０等の機器に圧縮機１を組み付けても、カバー４の装着状態を目視で容易に判別可能である。このため、例えば、圧縮機運転中に振動により半挿入状態となってしまっても、判別がし易い。
【００２６】
［その他の態様等］
なお、マーカ３ｄとしては、露出する部分の色を目視しやすい赤や黄等にしてもよい。これにより、安価で加工容易なマーカとすることができる。
【００２７】
また、カバー４は、電流が流れる電装部品(図示せず)を収納する空間を、開口４ｃ、４ｅとは区画された空間としている。これにより、開口４ｃ、４eより水、ホコリ、ゴミ、虫等の侵入を防止し、信頼性の高い電装品保護カバーとすることができる。カバー４の組み付けを、螺子等でなくツメにより行うことで、カバー４内に水滴等が浸入することを効果的に抑制できる。
【００２８】
また、本実施例では、目視性を高めるためにマーカ３ｄや突起３ｇにより判別を行うとしたが、単にガイド３ｃの先端や対面ガイド３ｅの先端が目視可能かどうかで判別する構成にしても良い。具体的には、装着状態ではガイド３ｃの先端が開口４ｃから目視可能で、半装着状態ではガイド３ｃの先端が目視不能となるように開口４ｃの切欠きを設計しても良い。
【００２９】
また、本実施例では、プロテクター３をカバー４が取り囲むようにして両者が組み付けられる。すなわち、天板３ａ、ガイド３ｃ、及び対面ガイド３ｅの外側に、カバー４の側面や上面が位置するように組み付けられる。そして、孔３ｂはプロテクター３の側に、ツメ４ｂはカバー４の側に設けられている。このように、孔が内側に位置するため、水滴が孔を介して内側に進入することを抑制できる。
【００３０】
また、本実施例では、プロテクター３について、第一の孔３ｂ、第二の孔３ｆ、及びマーカ３ｄは、それぞれ異なる方向（本実施例では、それぞれ上、左、右側）に設けられている。すなわち、マーカ３ｄが孔３ｂ、３ｆそれぞれから離れた位置にあるため、何れかが係合していない半装着状態の場合でも、装着状態と同様の露出態様になることを抑制できる。これに対して、例えば突起３ｇのように、何れかの孔に近接した位置にマーカを設けると、この孔以外の孔での係合が正常でない態様の半装着状態が生じると、マーカの露出範囲が装着状態と類似して、区別が困難な虞がある。このため、好ましくは、本実施例のように、それぞれの孔に比較的近接して、マーカを設けると良い。本実施例では、孔の個数と同数のマーカを有しているが、マーカの個数の方が多くても良い。
【００３１】
［その他の組み付け方法］
カバー４の組み付けは、本実施例の構造に鑑みると、上記した方法に代えて、次の方法にすることもできる。
対面ガイド３ｅ及び第二の孔３ｆは、プロテクター３の左端に設けられており、天面３ａの第一の孔３ｂは、左右方向の端部以外の位置（例えば中央側）に設けられている。このため、まず、カバー４の第二の爪４ｆを第二の孔３ｆに係合させ、次いで、係合した第二の爪４ｆ及び第二の孔３ｆを軸として回動させ、第１の孔３ｂに向けて第一の爪４ｂを近づける。そして、前方に向けて押圧力を加えて、第一の孔３ｂに第一の爪４ｂを係合させる。
【００３２】
このように組み付け作業を行うと、第二の爪４ｆ及び第二の孔３ｆを軸として、梃子の原理によって第一の孔３ｂに第一の爪４ｂを係合させる工程を比較的小さい力で行うことができる。このような組み付け作業は、対面ガイド３ｅが左右方向の端部に位置していることから、回動軸を確保することが容易となるため行い易い。
【符号の説明】
【００３３】
１  密閉型圧縮機（圧縮機）
２  ガラスターミナル 
３  プロテクター
３ａ  天板
３ｂ  第一の係止孔
３ｃ  ガイド
３ｄ  マーカ（第一のマーカ）
３ｅ  対面ガイド
３ｆ  第二の係止孔
３ｇ  突起（第二のマーカ）
４  カバー
４ｂ  第一のツメ
４ｃ  開口
４ｄ  右側面
４ｅ  開口
４ｆ  第二のツメ
１０  冷蔵庫
【図１】
2018040300.tif 000003
【図２】
2018040300.tif 000004
【図３】
2018040300.tif 000005
【図４】
2018040300.tif 000006
【図５】
2018040300.tif 000007
【図６】
2018040300.tif 000008
【図７】
2018040300.tif 000009
【図８】
2018040300.tif 000010